(57)【要約】  本発明による靴（１０）は、特に着用者の足が上に載るよう意図された上部（１２）を有するソール（１１）を備える。ソール（１１）は、上部（１２）の後部支持要素（１４）および後端部（１５）と、前記上部（１２）の前端部（１７）の前部支持要素（１６）とを備える。前部支持要素（１６）および後部支持要素（１４）は、上部（１２）と共に、実質的に前記上部（１２）の全長に亘って延在する空き空間（２０）を画定する。
2014518144.tif 000002
【特許請求の範囲】
【請求項１】
特に着用者の足が上に載るよう意図された上部（１２）を有するソール（１１）を備えるタイプの靴（１０）であり、
前記着用者の足を前記ソール（１１）上に保持する少なくとも１つの要素（２２）を含み、
前記ソール（１１）は、前記上部（１２）の後端部（１５）のための後部支持要素（１４）と、前記上部（１２）の前端部（１７）のための前部支持要素（１６）とを有し、
前記前部支持要素（１６）および前記後部支持要素（１４）は、前記上部（１２）と共に、実質的に前記上部（１２）の全長に亘って延在する空き空間（２０）を画定し、
前記ソール（１１）の前記上部（１２）は、前記着用者の足が上に載るよう意図された上面（１２Ａ）と、地面に対向するよう意図された、前記上面（１２Ａ）とは反対側の下面（１２Ｂ）とを有する、靴であって、
前記下面（１２Ｂ）は、前記保持要素（２２）を捕捉する手段（２４）を備え、前記下面（１２Ｂ）から前記空き空間（２０）の方へ突出する固定小突起と、前記保持要素（２２）に形成されたそれらの小突起に相補的な開口部とを備えることを特徴とする靴（１０）。
【請求項２】
前記捕捉手段（２４）は、前記ソール（１１）の前記上部（１２）の前記下面（１２Ｂ）に固定された、例えばフックを有するベルクロタイプの少なくとも１つの第１のストリップ（２６）を有し、前記保持要素（２２）は、例えばパイルを有する、前記第１のものに相補的なベルクロタイプの少なくとも１つの第２のストリップを有する請求項１に記載の靴（１０）。
【請求項３】
前記保持要素（２２）は、前記上部（１２）および前記着用者の足の周囲に巻き付けられるよう意図されたリボンを形成する請求項１または２に記載の靴（１０）。
【請求項４】
前記ソール（１１）の前記上部（１２）は、前記保持要素（２２）を通すための貫通開口部（２８）を有する請求項３に記載の靴（１０）。
【請求項５】
前記ソール（１１）は、前記前部支持要素（１６）と、前記後部支持要素（１４）と、前記ソール（１１）の前記上部（１２）と共に、前記空き空間（２０）を画定する下部（１８）を有する請求項１から４のいずれか一項に記載の靴（１０）。
【請求項６】
前記ソール（１１）の前記下部（１８）は、地面と協働するよう意図された下面（１８Ｂ）と、前記下面（１８Ｂ）とは反対側の上面（１８Ａ）とを有し、前記下面（１８Ｂ）には、例えばゴムで作製された少なくとも１つの制動ストリップが設けられている請求項５に記載の靴（１０）。
【請求項７】
前記ソール（１１）の前記下部（１８）は、地面と協働するよう意図された下面（１８Ｂ）と、前記下面（１８Ｂ）とは反対側の上面（１８Ａ）とを有し、前記上面（１８Ａ）には、少なくとも１つの装飾アクセサリ（３２）のための固定手段（３０）が設けられている請求項５または６に記載の靴（１０）。
【請求項８】
前記固定手段（３０）は、磁気的に固定される少なくとも１つの装飾アクセサリ（３２）を維持するよう意図された金属板を備える請求項７に記載の靴（１０）。
【請求項９】
前記固定手段（３０）は、スナップ留めまたは摺動により、装飾アクセサリ（３２）によって支えられる相補的リブを受けるよう意図され、前記下部（１８）の前記上面（１８Ａ）または前記後部（１４）に形成された少なくとも１つの溝部を備える請求項７または８に記載の靴（１０）。
【発明の詳細な説明】
【技術分野】
【０００１】
本発明は調節可能な靴に関する。
【背景技術】
【０００２】
詳細には、取外し可能な要素を含む調節可能な靴が、最先端技術において既に知られている。そのような調節可能な靴は、一般に、ソールと、着用者の足をそのソール上に保持する少なくとも１つの要素とを含み、前記保持要素は靴の「アッパー」とも呼ばれる。
【０００３】
例えばストラップにより形成された保持要素は、例えばスナップを含む取外し可能な固定手段を使用して、ソールに固定され得る。
そのような靴の調節性は、具体的には、保持要素の形状、大きさおよび位置がソール上の固定手段の所定の配置によって制限されることにより、制限される。
【０００４】
さらに、固定手段は、一般に、ソールの側面に配置されており、その結果、着用者の所望または着用者の足の形態に基づいて固定具の位置を調節することをできなくしている。さらに、固定手段がソールの側面に配置されるスナップを含む場合、そのようなスナップはタイミング悪く外れる可能性がある。
【発明の概要】
【発明が解決しようとする課題】
【０００５】
本発明は、特に、改善された調節性および信頼性を備えた靴を提供することにより、これらの弱点を解決することを目的とする。
【課題を解決するための手段】
【０００６】
その目的のために、本発明は、詳細には、特に着用者の足が上に載るよう意図された上部を含んだソールを含むタイプの靴に関し、
−  ソールは、上部の後端部のための後部支持要素と、上部の前端部のための前部支持要素とを含み、
−  前部支持要素および後部支持要素は、上部と共に、実質的にその上部の全長に亘って延在する空き空間を画定する。
「インソール」または「インナーソール」とも呼ばれる、ソールの上部は、着用者の足が上に載るソールの部分である。したがって、この上部は、概して、足の裏の形状に実質的に相補的な形状を有する。
【０００７】
本発明によれば、前部支持要素および後部支持要素は、（足が載る）ソールの上部と地面との間にスペーサを形成し、それにより、実質的に上部の全長の下に空き空間を形成する。
【０００８】
そのような空き空間により、本発明による靴のより大きな調節性が可能になる。
実際、この空き空間により、例えば、ソールの上部の下で、上部の長さ全体に亘って想定される任意の位置で、保持要素の少なくとも一部の通過が可能になる。換言すれば、この保持要素は、その位置の選択が、ボタン、スナップ、ホック等の固定手段の所定の位置により制限されることなく、上部の任意の位置に配置されてもよい。
【０００９】
したがって、本発明により、固定におけるかなりの自由が可能になり、具体的には、靴の独創性および美学を向上させることが可能になる。具体的には、固定におけるそのような自由により、着用者は、自身の足のタイプに基づいて保持要素を選択することが可能になり、また、着用者の好みおよび所望に基づいて、靴が擦り切れ、使い古されるたびに保持要素を変えることが可能になる。したがって、本発明による同靴により、保持要素の種類または位置に関する非常に多数の可能性が可能になる。
【００１０】
さらに、本発明により、ソールの上部の下に保持要素のための固定手段を配置することが可能になる。そのような固定手段は、ソールの上部の下に、控え目にかつ美的にしっかりと固定され、従来ソールの側面に配置された固定手段とは異なり、突然外れるリスクがほとんどない。
【００１１】
本発明による靴は、単独または任意の技術的に可能な組合せに従って考えられる以下の特徴の１つまたは複数をさらに含んでいてもよい。
−  靴は、着用者の足をソール上に保持する少なくとも１つの要素を含み、ソールの上部は、着用者の足が上に載るよう意図された上面と、地面に対向するように設計され、上面とは反対側の下面とを有し、下面は保持要素を捕捉する手段を含む。
−  捕捉手段は、ソールの上部の下面に固定され、例えばフックを有する、ベルクロタイプの少なくとも１つの第１のストリップを含み、保持要素は、例えばパイルを有する、第１のものに相補的なベルクロタイプの少なくとも１つの第２のストリップを含む。
−  保持要素は、上部および着用者の足の周囲に巻き付けられるリボンを形成する。
−  ソールの上部は、保持要素を通すための貫通開口部（ｔｈｒｏｕｇｈ  ｏｒｉｆｉｃｅ）を有する。
−  ソールは、前部支持要素と後部支持要素とソールの上部と共に空き空間を画定する下部を含む。
−  ソールの下部は、地面と協働するよう意図された下面と、下面とは反対側の上面とを有し、下面には、例えばゴムで作製された少なくとも１つの制動ストリップ（ｄａｍｐｉｎｇ  ｓｔｒｉｐ）が設けられている。
−  ソールの下部は、地面と協働するよう意図された下面と、下面とは反対側の上面を有し、上面には、少なくとも１つの装飾アクセサリ用の固定手段が設けられている。
−  固定手段は、磁気的に固定された少なくとも１つの装飾アクセサリを維持するよう意図された金属板を含む。
−  固定手段は、スナップ留めまたは摺動により、装飾アクセサリによって支えられる相補的リブを受けるよう意図された、下部の上面または後部に形成された少なくとも１つの溝部を含む。
【００１２】
本発明は、単に例として与えられておりかつ添付の図を参照してなされる以下の説明を読むと、より良く理解されるであろう。
【図面の簡単な説明】
【００１３】
【図１】本発明の１つの例示的実施形態による靴の斜視図である。
【図２】着用者の足の一方を保持する要素が設けられている、図１の靴の斜視図である。
【図３】図２のものとは異なる保持要素が設けられた図１の、図１の靴に類似した図である。
【図４】装飾アクセサリが設けられた図１の靴の側面図である。
【発明を実施するための形態】
【００１４】
図１は、本発明の一例示的実施形態による靴１０を示す。靴１０は、「インソール」または「インナーソール」とも呼ばれる、特に着用者の足が上に載るよう意図された上部１２を有するソール１１を備える。したがって、この上部１２は、概して、足の裏の形状に実質的に相補的な形状を有する。
【００１５】
上部１２は、着用者の足を受けるように設計された上面１２Ａと、靴１０が使用中の場合に地面に対向するように設計された、上面１２Ａとは反対側の下面１２Ｂとを有する。
【００１６】
任意選択で、着用者の使用や欲求に従って快適さを高めかつ人間工学を提供するために、上面１２Ａの全部または一部の上に、取外し可能にまたは恒久的に、インソールが付加され、固定されてもよい。
【００１７】
ソール１１は、上部１２の後端部１５を支持する後部要素１４をさらに備える。
本発明によるソール１１は同様に、上部１２の前端部１７を支持する前部要素１６を含む。
【００１８】
これらの後部支持要素１４および前部支持要素１６は、上部１２と地面との間にスペーサを形成すると同時に、上部１２と共に空き空間２０を画定する。後部支持要素１４は上部１２の後端部１５に、前部支持要素１６は上部１２の前端部１７に配置されているので、空き空間２０は上部１２の全長の実質的に下に延在していることが分かるであろう。換言すれば、これらの後部支持要素１４と前部支持要素１６とは、協働して上部１２の全体を持ち上げている。
【００１９】
図１に示される実施形態によれば、ソール１１はまた、実質的に平面の形状を有する下部１８を有する。「アウトソール」または「アウターソール」とも呼ばれるこの下部１８は、靴１０の使用中に地面と接触するように設計されたソールの部分である。
【００２０】
前部支持要素１６および後部支持要素１４は、間にスペーサ形成するために、前記下部１８と上部１２との間に延在している。したがって、空き空間２０は、上部１２と下部１８とにより高さ方向に制限されており、後部支持要素１４と前部支持要素１６とにより長さ方向に制限されている。しかし、空間２０は、側面においては空いている。
【００２１】
図１に示される例では、後部支持要素１４および前部支持要素１６はそれぞれ、高さを変更することなく下部１８を延ばしている。換言すれば、部分１４、１６および１８は、歩行中に足の最適な回転を可能にするために、下部１８の前部（前部要素１６の基部）および後部（後部要素１４の基部）において非常に丸い、ウェッジヒールを形成している。下部１８は、下部１８の実質的に中央に形成された、制限された平面領域を含み、靴の安定性および停止した状態にあるときの着用者の休息を可能にすることが好ましい。
【００２２】
あるいは、後部支持要素１４、１６はそれぞれ、高さの変化により下部１８から分離されている。
第１の可能な代替的実施形態によれば、ソール１１は単一の部品で作製されている。例えば、ソール１１は、プラスチック材料で作製されていてもよく、その場合、上部１２と、後部支持要素１４と、前部支持要素１６と、下部１８とは一体的であってもよい。また、ソール１１は、木、または他の中空の注入物質または成形物で作製されていてもよく、これらの方法は限定的ではない。
【００２３】
第２の可能な代替案によれば、上部１２と、後部支持要素１４と、前部支持要素１６と、下部１８とは、従来の固定手段を使用して、互いに取り付けられていてもよい。上部１２と、後部支持要素１４と、前部支持要素１６と、下部１８とは、同一の材料または別個の材料で作製されている。ある部分１２、１４、１６および／または１８が、例えばこれらの部分の種類、形状および／または色を変えるために、他のものに交換されることを可能にするために、これらの固定手段は取外し可能であってもよいことが分かるであろう。
【００２４】
また、例えば接着により、取外し不可能な固定手段を設けることが可能である。
支持要素１４、１６の全ての考えられる高さを実現することが可能であることが分かるであろう。具体的には、後部支持要素１４の高さは、靴１０の所望のヒールの高さに応じて選択される。図示されていない一代替案によれば、後部支持要素１４と前部支持要素１６とはほぼ同じの高さを有していてもよく、その場合、ソール１１の上部１２は地面にほぼ平行であり、ソール１１がそのような下部１８を含む場合には、下部１８に平行である。
【００２５】
下部１８は、地面と協働するよう意図された下面１８Ｂと、下面１８Ｂとは反対側の上面１８Ａとを有する。
下面１８Ｂには、例えばゴムで作製され、基部１８を磨耗から保護しかつ歩行の快適さを向上させる、少なくとも１つの制動ストリップ２１が設けられていることが好ましい。
【００２６】
靴１０は、着用者の足をソール１１上に保持する少なくとも１つの要素２２をさらに有する。このような保持要素２２は靴のアッパーとも呼ばれる。保持要素２２の例は図２および図３に示されている。
【００２７】
図２に示される例によれば、保持要素２２は、足および上部１２の両方の周囲に巻き付いて一緒に包囲するために細いリボンすなわちストラップを形成している。
【００２８】
足の周囲に巻き付けられているこの保持要素２２は、足の存在下でソール１１に組み付けられたとき、足の形状に体系的に適合する。さらに、上部１２の全幅の下に延在する空き空間２０のおかげで、この保持要素２２は、ソール１２および足の長さの任意の位置で渡ることが可能である。具体的には、保持要素２２は、足の前部において渡ることができるが、それは、空き空間２０が上部１２の前部の下に延在していない場合は不可能になる。
【００２９】
リボン２２は、靴の快適さおよび／または所望の外見上で着用者が好ましいと考える構成に従って、着用者により所望の方法で巻き付けられてもよいことが分かるであろう。
上部１２の下面１２Ｂは、保持要素２２のための捕捉手段２４を有することが好ましい。
【００３０】
図２に示される例では、捕捉手段２４は、上部１２の下面１２Ｂに固定されており、例えばその全長に亘って延在する、例えばフックを有する、少なくとも１つの第１のベルクロタイプ・ストラップ２６を含む。保持要素２２は、例えば保持要素２２の全長に亘って延在する、例えばパイルを有する、第１のものに相補的な少なくとも１つの第２のベルクロタイプ・ストリップを含む。
【００３１】
したがって、保持要素２２は、可視上部２２Ａと、非可視背部２２Ｂとを有し、例えばベルクロ・パイル・タイプの固定手段を備える。保持要素２２の形状に応じて、これらの固定手段は、背部の全部または部分のみを覆っていてもよい。
【００３２】
ベルクロタイプ・ストリップを備えたそのような捕捉手段２４により、保持要素２２に関して下面１２Ｂ上の任意の位置で捕捉がなされてもよいので、最適な調節性が可能になる。したがって、保持要素２２は、取り付けられる下面１２Ｂの特定の位置にある必要がない。
【００３３】
さらに、ベルクロタイプ・ストリップを備えたこれらの捕捉手段２４により、ソール１１の上部１２の下で保持要素２２の効果的な固定が可能になり、特に、保持要素２２が足およびソール１２の周囲に巻き付いているリボンである場合、上部１２の下を数回渡ると同時に、ベルクロタイプの捕捉手段２４によって、渡るたびに固定される。
【００３４】
したがって、保持要素２２は、着用者のために選択された設計に基づいて、足に自由に巻き付けられてもよい。ベルクロ・パイルタイプ・ストリップは、保持要素２２の背部の全部を覆うことが好ましい。したがって、この保持要素２２は、ソール１１上の多数の可能な位置に配置され得る。
【００３５】
リボン・タイプの保持要素２２が、メートル単位でまたは巻きで着用者に提供されてもよく、その結果、着用者は、靴の使用のたびに着用者が靴に付与したいと願う美学および快適さに基づいて、保持要素を所望の長さに切断してもよい。そのようなリボンは、かなり多様な材料、色および設計で作製される可視部分を有する。
【００３６】
着用者は、次いで、リボンの形の保持要素２２の固定をつま先から開始し、次いで踵の方へ上方に移行し、例えば足首を１回または数回包囲し、足首の結び目でまたは下面２２Ｂ上での固定で終了してもよい。
【００３７】
当然のことながら、保持要素２２のための任意の他の考えられる固定手段が設けられていてもよいことが理解される。
【００３８】
例えば、下面１２Ｂから空き空間２０の方へ突出する固定小突起と、保持要素２２に形成されたそれらの小突起に相補的な開口部とを設けることが可能である。
【００３９】
また、空き空間２０により、スナップを含む固定手段を考えることが可能になり、スナップの雌（または雄）部は下面１２Ｂに配置され、スナップの雄（または雌）部は保持要素２２に配置される。上部１２の下のそれらの位置に因り、そのようなスナップは、突然外れるリスクが非常に小さい。
【００４０】
記載されている実施形態では、上部１２は、例えば図２に示されるように、リボン２２の通過を可能にする貫通開口部２８を含む。そのような開口部２８は、快適さまたは外見の理由でそこにリボンを通すために、着用者の足の親指と人指し指との間に設けられていることが好ましく、具体的には保持要素２２の固定を開始することを可能にする。また、この開口部２８により、保持要素２２を配置することがさらに可能になる。
【００４１】
また、開口部２８により、ストリップの形の保持要素２２の一方の端部をスナップ留めすること、またはそのストリップ２２の取付け部材の通過が可能になるであろうことが分かるであろう。
【００４２】
他の形の保持要素２２、特にはシンプルなリボンより洗練された、複雑で、装飾的な形態を設けることが可能である。保持要素２２には、特にＴｒｏｐｅｚｉｅｎ（登録商標）タイプのモデルの場合には、例えば、装飾アクセサリが設けられていてもよい。
【００４３】
類似するかまたは異なっていてもよい複数の保持要素２２が、同じ靴に共に取り付けられてもよいことが分かるであろう。そのような保持要素の組合せにより、着用者に対応する数量のさらなる多様性および独創性が可能になる。
【００４４】
また、保持要素２２には、第２の可視固定手段が設けられていてもよく、第２の可視固定手段は、その保持要素の一体的かつ修飾的部分である。そのような保持要素２２は、２つの締付けの可能性、すなわち、下面１２Ｂに固定される典型的なベルクロタイプ法を使用すること、または第２の固定手段を調節すること、を提供する。第２の固定手段は、金属ループ、ボタンまたはスナップ、穴とレース、リング、ゴムバンド、フック等を含んでいてもよい。
【００４５】
図３は保持要素２２の別の例を示す。この例では、靴１０は、２つの保持要素２２を含み、足の前部に見られるその一方はストラップを形成しており、足の甲に設けられる他方は、中央ストリップ２９により接続される一組のストラップを形成している。
【００４６】
ストラップおよび一組のストラップは各々、ベルクロタイプの中央ストリップを含み、上部１２の下面１２Ｂの相補的ベルクロタイプ・ストリップ上でのそれらの固定を可能にする。各ストラップは、ループを備え付けられた第１の側部と、そのループに相補的な開口部を設けられた第２の側部とを有し、着用者の足の周囲のそのストラップを含む保持要素２２を閉じる。
【００４７】
あるいは、各保持要素２２は、足の上に載るよう意図された、既に閉じられているかまたは継続的な、２つの側板から延在する上部を含んでいてもよく、各平板には、上部１２の下面１２Ｂの相補的ベルクロタイプ・ストリップに固定されるよう意図されたベルクロタイプ・ストリップが設けられている。
【００４８】
当然、前述の保持要素２２のこれらの例は限定的ではない。具体的には、靴１０は、特には多くの異なる保持要素２２が使用されることを可能にするという利点を有する。図３を参照して記載されている靴１０は、例えば、着用者の足首のための追加保持要素で補完される場合もあり得る。
【００４９】
ソール１１の空き空間２０に関連する別の利点が、空き空間は遥かに空いている中空ソールを形成することであり、中空ソールによりソール１１の内側の大部分が完全に可視になる。したがって、その可視空間２０を、具体的にはその空間２０を画定する壁を装飾すること、切り取ること、または覆うことにより、靴１０の外見を向上させるのに使用することができる。
【００５０】
したがって、それらの大きさがその空間２０の寸法より小さいままである限り、その空間２０内に画像、テキスト、言葉、小物体および／または小像などの装飾アクセサリを配置することが可能である。これらの装飾アクセサリは２次元または３次元であり得る。
【００５１】
これらの装飾アクセサリはこのように装飾を形成し、装飾は恒久的または取外し可能であってもよい。
空間２０内に配置された装飾の一例が図４に示されている。
固定装飾アクセサリ３２のための手段３０が、ソール１１の下部１８に、具体的にはその上面１８Ａに設けられている。これらの固定手段３０は任意の可能な方法で作製されていてもよく、以下の例は単に情報として非限定的に与えられている。
【００５２】
記載されている例示的実施形態によれば、空き空間２０に対向する、下部１８の上面１８Ａおよび／または後部支持要素１４の内面１４Ａには金属板３０Ａが設けられており、金属板は、塗装されていてもいなくてもよく、空間２０内に磁気的に固定された装飾アクセサリ３２の維持を可能にする。
【００５３】
装飾アクセサリは任意の可能な種類であってもよく、例えば靴１０に装飾的テーマを付与してもよい。例えば、装飾アクセサリ３２はフィギュアにより形成されても、または言葉を形成する文字を描写してもよい。これらのアクセサリ３２はまた、図４に示されるように花などの様々な物体を表していてもよい。また、アクセサリが、描画で装飾されたまたは言葉を書くのに適合された板により形成されていてもよい。
【００５４】
あるいは、他の種類の固定手段３０、例えば装飾アクセサリ３２が上にスナップ留めされるであろう、下部１８の上面１８Ａから突出するピンを設けることが可能である。また、アクセサリ３２が中にスナップ留めされるであろう、上面１８Ａに形成された開口部を設けることが可能である。
【００５５】
別の代替案によれば、固定手段３０は、下部１８の上面１８Ａに形成されており、上面１８Ａに横方向に、長手方向に、またはある角度で延在する溝部を有する。そのような溝部は、スナップ留めまたは摺動により、装飾アクセサリ３２により支持される相補的リブを受けるよう意図される。
【００５６】
別の代替案によれば、装飾アクセサリ３２、３３を、例えば接着することにより、自由空間２０内に、具体的には下部１８に、恒久的に固定される場合もあり得る。下部１８がソール１１内に取外し可能に取り付けられる場合、下部１８を交換することによっても、そこに固定される装飾アクセサリを交換することが可能になる。
【００５７】
交換品として、または下部１８に設けられた固定手段３０と共同で、後部支持要素１４もしくは前部支持要素１６上に、または上部１２の下に固定手段を設けることが可能である。
【００５８】
さらに、上部１２の下のアクセサリ固定手段３１が、上部１２の下にアクセサリ３３をぶら下げることを可能にする。例えば図４のように鳥、もしくは鳥かご、ブランコ、またはその他の物体が描写された、そのような懸下型アクセサリ３３は、靴１０が動くときに全体的に可動である。
【００５９】
これらの固定手段３１は任意の考えられる種類であってもよい。例えば、図４に示すように、上部１２の下面１２Ｂに固定されるフックを設けることが可能である。また、懸下型アクセサリ３３により支えられ、フックが取り付けられる懸下リングを設けることが可能である。
【００６０】
あるいは、アクセサリ３３のためのこれらの固定手段３１は、保持要素２２の固定手段２４により形成されていてもよい。例えば、各懸下型アクセサリ３３は、下面１２Ｂのベルクロ・フックタイプ・ストリップ２６に取り付けられるように設計されたベルクロ・パイルタイプ・ストリップを含む。
【００６１】
本発明は前述の実施形態に限定されないが、特許請求の範囲の範囲を越えることなく、種々の代替案を含み得ることが分かるであろう。
【００６２】
例えば、靴１０が、ソール１１に恒久的に固定される保持要素２２を含むことが可能であると考えられ、靴の調節性は、装飾アクセサリ３２、３３の付加から成り、その調節性は、上部１２の下の自由空間２０に関連する。
【図１】
2014518144.tif 000003
【図２】
2014518144.tif 000004
【図３】
2014518144.tif 000005
【図４】
2014518144.tif 000006
【国際調査報告】
2014518144.tif 000007
2014518144.tif 000008
2014518144.tif 000009
2014518144.tif 000010
2014518144.tif 000011
2014518144.tif 000012